(57)【特許請求の範囲】
【請求項１】
一又は複数の食材を用いて調理された食品の一又は複数の栄養分の含有量を導き出す導出装置において、
食品に対応付けて、食材及び調理条件を記録している食品データベースと、
食材に対応付けて、食材の状態、産地及び生産時期を食材情報として記録している食材データベースと、
食材の状態及び産地の情報を受け付ける手段と、
受け付けた食材の状態及び産地の情報、並びに該食材の状態及び産地の情報を受け付けた時期に基づいて生産時期を求める手段と、
受け付けた食材の状態及び産地の情報、並びに求めた生産時期を前記食材データベースに記録する処理をする手段と、
調理条件及び食材情報に対応付けて、食材の栄養分の含有量又は該含有量を導出する方法を記録している栄養分データベースと、
食品を示す食品情報を受け付ける手段と、
受け付けた食品情報から、前記食品データベースの記録内容に基づいて、食材及び調理条件を導出する手段と、
導出した食材から、前記食材データベースの記録内容に基づいて、食材情報を導出する手段と、
導出した調理条件及び食材情報から、前記栄養分データベースの記録内容に基づいて、各食材の栄養分毎の含有量を導出する手段と、
導出した結果を出力する出力手段と
を備えることを特徴とする導出装置。
【請求項２】
前記食品データベースは、調理条件として、調理方法及び調理時間を記録してあり、
前記栄養分データベースは、食材の栄養分の含有量を導出する方法として、調理時間に応じて変化する栄養分の含有量を示すグラフ、式又は表を記録してある
ことを特徴とする請求項１に記載の導出装置。
【請求項３】
前記食品データベースは、食材の使用量を記録する様に構成してあり、
前記栄養分データベースは、食材の栄養分の含有量又は該含有量を導出する方法として、食材の単位量当たりの栄養分の含有量又は該含有量を導出する方法を記録してあり、
食材の使用量及び単位量当たりの含有量から、食品に使用される食材に対する栄養分の含有量を算出する手段を更に備える
ことを特徴とする請求項１又は請求項２に記載の導出装置。
【請求項４】
前記導出手段は、導出した各栄養分の含有量を、栄養分毎に合計する様に構成してあり、
前記出力手段は、栄養分毎に含有量を合計した結果を、食品に対する栄養分の含有量として出力する様に構成してある
ことを特徴とする請求項１乃至請求項３のいずれかに記載の導出装置。
【請求項５】
コンピュータに、一又は複数の食材を用いて調理された食品の一又は複数の栄養分の含有量を導出させるコンピュータプログラムにおいて、
コンピュータに、用いられる食材について予め、食材の状態及び産地の情報を受け付けさせる手順と、
コンピュータに、前記食材の状態及び産地の情報、並びに該食材の状態及び産地の情報を受け付けた時期に基づいて生産時期を求めさせる手順と、
コンピュータに、受け付けた食材の状態及び産地の情報、並びに求めた生産時期を食材情報として予め食材データベースに記録する処理をさせる手順と、
コンピュータに、食品に対応付けて、予め食材及び調理条件を記録している食品データベースに基づいて、食品に対応する食材及び調理条件を導出させる手順と、
コンピュータに、導出した食材から、前記食材データベースに基づいて、食材情報を導出させる手順と、
コンピュータに、導出した調理条件及び食材情報から、調理条件及び食材情報に対応付けて、予め食材の栄養分の含有量又は該含有量を導出する方法を記録している栄養分データベースに基づいて、各食材の栄養分毎の含有量を導出させる手順と
を実行させることを特徴とするコンピュータプログラム。
【発明の詳細な説明】
【技術分野】
【０００１】
本発明は、食材を用いて調理された食品の栄養分の含有量を導き出す導出装置、及び該導出装置を実現するためのコンピュータプログラムに関し、特に様々な条件を考慮して、より正確な栄養分の含有量を導き出す導出装置及びコンピュータプログラムに関する。
【背景技術】
【０００２】
日々の食事を提供する社員食堂等の料理提供施設で、一ヶ月等の所定期間単位で献立の立案を担当する栄養士は、献立を立案する過程において、提供する料理（食品）の栄養素を導出する。栄養士は、料理の栄養素を示した食品成分表を用いることにより、提供する料理の栄養素の含有量を導出する。またこの様な計算を自動化した栄養計算装置が特許文献１に提案されている。
【特許文献１】特開昭５２−４４５３７号公報
【発明の開示】
【発明が解決しようとする課題】
【０００３】
しかしながら同じ料理、例えばカレーライスであっても使用する食材は必ずしも同一ではなく、しかも各食材の状態、産地、生産時期等の条件、更に料理の調理条件によって食材に残存する栄養素の含有量が異なるため、従来の方法では料理に含まれる栄養素の含有量を導出する上で精度に関する問題がある。
【０００４】
本発明は斯かる事情に鑑みてなされたものであり、料理に使用する各食材の状態、産地、生産時期等の食材条件、並びに調理条件を加味して、料理に含まれる栄養価、栄養素等の栄養分を導出することにより、料理に含まれる栄養分の含有量を正確に導出することが可能な導出装置、及び該導出装置を実現するためのコンピュータプログラムの提供を目的とする。
【課題を解決するための手段】
【０００５】
第１発明に係る導出装置は、一又は複数の食材を用いて調理された食品の一又は複数の栄養分の含有量を導き出す導出装置において、食品に対応付けて、食材及び調理条件を記録している食品データベースと、食材に対応付けて、食材の状態、産地及び生産時期を食材情報として記録している食材データベースと、食材の状態及び産地の情報を受け付ける手段と、受け付けた食材の状態及び産地の情報、並びに該食材の状態及び産地の情報を受け付けた時期に基づいて生産時期を求める手段と、受け付けた食材の状態及び産地の情報、並びに求めた生産時期を前記食材データベースに記録する処理をする手段と、調理条件及び食材情報に対応付けて、食材の栄養分の含有量又は該含有量を導出する方法を記録している栄養分データベースと、食品を示す食品情報を受け付ける手段と、受け付けた食品情報から、前記食品データベースの記録内容に基づいて、食材及び調理条件を導出する手段と、導出した食材から、前記食材データベースの記録内容に基づいて、食材情報を導出する手段と、導出した調理条件及び食材情報から、前記栄養分データベースの記録内容に基づいて、各食材の栄養分毎の含有量を導出する手段と、導出した結果を出力する出力手段とを備えることを特徴とする。
【０００６】
第２発明に係る導出装置は、第１発明において、前記食品データベースは、調理条件として、調理方法及び調理時間を記録してあり、前記栄養分データベースは、食材の栄養分の含有量を導出する方法として、調理時間に応じて変化する栄養分の含有量を示すグラフ、式又は表を記録してあることを特徴とする。
【０００７】
第３発明に係る導出装置は、第１発明又は第２発明において、前記食品データベースは、食材の使用量を記録する様に構成してあり、前記栄養分データベースは、食材の栄養分の含有量又は該含有量を導出する方法として、食材の単位量当たりの栄養分の含有量又は該含有量を導出する方法を記録してあり、食材の使用量及び単位量当たりの含有量から、食品に使用される食材に対する栄養分の含有量を算出する手段を更に備えることを特徴とする。
【０００８】
第４発明に係る導出装置は、第１発明乃至第３発明において、前記導出手段は、導出した各栄養分の含有量を、栄養分毎に合計する様に構成してあり、前記出力手段は、栄養分毎に含有量を合計した結果を、食品に対する栄養分の含有量として出力する様に構成してあることを特徴とする。
【０００９】
第５発明に係るコンピュータプログラムは、コンピュータに、一又は複数の食材を用いて調理された食品の一又は複数の栄養分の含有量を導出させるコンピュータプログラムにおいて、コンピュータに、用いられる食材について予め、食材の状態及び産地の情報を受け付けさせる手順と、コンピュータに、前記食材の状態及び産地の情報、並びに該食材の状態及び産地の情報を受け付けた時期に基づいて生産時期を求めさせる手順と、コンピュータに、受け付けた食材の状態及び産地の情報、並びに求めた生産時期を食材情報として予め食材データベースに記録する処理をさせる手順と、コンピュータに、食品に対応付けて、予め食材及び調理条件を記録している食品データベースに基づいて、食品に対応する食材及び調理条件を導出させる手順と、コンピュータに、導出した食材から、前記食材データベースに基づいて、食材情報を導出させる手順と、コンピュータに、導出した調理条件及び食材情報から、調理条件及び食材情報に対応付けて、予め食材の栄養分の含有量又は該含有量を導出する方法を記録している栄養分データベースに基づいて、各食材の栄養分毎の含有量を導出させる手順とを実行させることを特徴とする。
【００１０】
第１発明及び第５発明では、食品に使用する各食材の状態、産地、生産時期等の食材条件、並びに調理条件を加味して、食品に含まれる栄養価、栄養素等の栄養分を導出し、且つ生産時期についても自動的に予め算出しておくことにより、栄養士に過大な作業負担を強いることなく、食品に含まれる栄養分の含有量を正確に導出することが可能である。
【００１１】
第２発明では、焼く、煮る等の調理方法及び調理時間を加味することにより、調理方法により減衰する栄養分を考慮して、食品に含まれる栄養分の含有量を正確に導出することが可能である。
【００１２】
第３発明では、食品に含まれる栄養分の含有量を正確に導出することが可能である。
【００１３】
第４発明では、食材毎に導出した栄養分を合計することにより、食品単位での各栄養分の含有量を導出することが可能である。
【発明の効果】
【００１４】
本発明に係る導出装置及びコンピュータプログラムは、食品に対応付けて、食材及び調理条件を記録している食品データベースと、食材に対応付けて、食材の状態、産地及び生産時期を食材情報として記録している食材データベースと、調理条件及び食材情報に対応付けて、食材の栄養分の含有量又は該含有量を導出する方法を記録している栄養分データベースとを予め準備し、更に、食品について状態及び産地の情報を登録させることで自動的に生産時期を予め求めておき、食品から、前記食品データベースの記録内容に基づいて、食材及び調理条件を導出し、導出した食材から、前記食材データベースの記録内容に基づいて、食材情報を導出し、導出した調理条件及び食材情報から、前記栄養分データベースの記録内容に基づいて、各食材の栄養分毎の含有量を導出して、その結果を出力する。
【００１５】
この構成により、本発明では、栄養士に過大な作業負担を強いることなく、様々な条件を加味して食品に含まれる栄養分の含有量を正確に導出することが可能である等、優れた効果を奏する。
【発明を実施するための最良の形態】
【００１６】
以下、本発明をその実施の形態を示す図面に基づいて詳述する。図１は、本発明の導出装置の構成例を示すブロック図である。図１中１は、パーソナルコンピュータ等のコンピュータを用いた本発明の導出装置である。導出装置１は、日々の食事を提供する社員食堂等の料理提供施設で、一ヶ月等の所定期間単位で献立の立案を担当する栄養士により操作され、提供する料理（食品）に含まれる栄養価、栄養素等の栄養分を導出する処理を実行する。
【００１７】
導出装置１は、装置全体を制御するＣＰＵ等の制御手段１０と、本発明のコンピュータプログラム１００及びデータ等の各種情報を記録したＣＤ−ＲＯＭ等の記録媒体から各種情報を読み取るＣＤ−ＲＯＭドライブ等の補助記憶手段１１と、補助記憶手段１１により読み取った各種情報を記録するハードディスク等の記録手段１２と、情報を一時的に記憶するＲＡＭ等の記憶手段１３とを備えている。そして記録手段１２に記録したコンピュータプログラム１００を記憶手段１３に記憶させ、制御手段１０の制御にて実行することにより、コンピュータは、本発明の導出装置１として動作する。さらに導出装置１は、マウス、キーボード等の入力手段１４と、モニタ、プリンタ等の出力手段１５とを備えている。
【００１８】
記録手段１２に記録領域の一部は、料理に関する情報を記録する料理データベース（料理ＤＢ）１２ａ、料理に用いられる食材に関する食材情報を記録している食材データベース（食材ＤＢ）１２ｂ、食材の栄養分に関する情報を記録している栄養分データベース（栄養分ＤＢ）１２ｃ等の各種データベースとして用いられている。なお記録手段１２の記録領域を各種データベースとして用いるのではなく、導出装置１に接続する他の装置が備える記録手段の記録領域に各種テーブルを形成する様にしても良い。
【００１９】
図２は、本発明の導出装置１が備える料理データベース１２ａの記録内容の一例を概念的に示す説明図である。料理データベース１２ａには、料理を示す料理名称等の料理情報に対応付けて、食材名称、１人分分量、調理条件等の各種情報が記録されている。調理条件としては、調理方法及び調理時間が記録されている。なお調理方法とは、「焼く」、「煮る」、「蒸す」等の方法である。図２に示す例では、料理「カレー」には、「ジャガイモ」、「牛肉」、「カレー粉」等の食材が使用されている。そして食材「ジャガイモ」の１人分の分量は、「２０ｇ」であり、「煮る」という調理が「３時間」行われる。また食材「牛肉」は、「焼く」という調理を「５分間」行った後、「煮る」という調理を「２時間５５分」行うという様に、複数工程の調理条件を記録することも可能である。また更に調理温度、使用する調理機器等の調理条件を加えることも可能である。
【００２０】
図３は、本発明の導出装置１が備える食材データベース１２ｂの記録内容の一例を概念的に示す説明図である。食材データベース１２ｂには、食材を示す食材名称に対応付けて、使用可能な食材の状態、産地、生産時期等の食材情報、及び食材の在庫量が記録されている。食材の状態とは、「生」、「冷凍」等の保存に関する状態、「加工」等の生産段階を示す状態等の状態を示している。産地としては、「北海道」等の地域名、「オーストラリア」等の国名の他、生産メーカ名、工場名等の名称を用いることも可能である。生産時期としては、「４月中旬」、「２００８年１０月」等の時期を示す情報が用いられる。各項目の内容は、事前に入力することにより、食材データベース１２ｂに記録されるが、全ての項目についての逐次入力は、必ずしも必要ではなく、同一レコードに係る他の項目の記録内容及び導出装置１が備えている内部カレンダーが示す時刻に基づき、予め設定されている基準に基づき自動的に設定する様にしても良い。例えば食材「ジャガイモ」の産地が「北海道」、状態が「生」である場合で、内部カレンダーが７月２日を示しているとき、当該食材は、当年度に収穫されたものであると判定し、生産時期は、「４月中旬」に設定される。
【００２１】
図４は、本発明の導出装置１が備える栄養分データベース１２ｃの記録内容の一例を概念的に示す説明図である。栄養分データベース１２ｃには、食材名称、状態、産地、生産時期、調理方法、食材の栄養分の含有量等の各種情報が対応付けて記録されている。食材名称、状態、産地、生産時期及び調理方法は、食材データベース１２ｂに記録されている夫々の情報に対応している。食材の栄養分の含有量としては、食材の１００ｇ等の単位量に対する栄養分の含有量として、タンパク質、脂質、炭水化物等の各栄養素及び栄養価（エネルギ）の量が記録されている。なお栄養分の含有量に代替して含有量を導出する方法を記録する様にしても良い。図４に例示した栄養分の含有量の項目において、グラフ１、数式１、表１等の数値以外の文字が記載されている箇所が、含有量を導出する方法であり、含有量を導出する方法は、調理時間によって含有量が変化する場合の様に、固定値として含有量を示すことができない場合に用いられる。図４に例示したデータベース構成からも明らかな様に、本発明では、食材の含有量を、状態、産地、生産時期、調理方法等の各種条件毎に記録しており、条件に応じた含有量を導出することが可能となっている。そして本発明では、図４に例示した以外にも必要に応じて適宜条件を設定することが可能であり、例えば生産後経時的に栄養分が変動する場合、生産後経過時間等の項目を設定する様にしても良い。
【００２２】
栄養分データベース１２ｃに記録されている含有量を導出する方法について説明する。図５は、本発明の導出装置１が栄養分の含有量の導出に用いるグラフである。図５（ａ）〜（ｃ）に例示したグラフは、食材データベース１２ｂにグラフ１、グラフ２及びグラフ３として示されるグラフであり、予め記録手段１２に記録されている。例えば食材データベース１２ｂにグラフ１として示されていた場合、記録手段１２に予め記録されている図５（ａ）に示すグラフ１を抽出し、抽出したグラフ１を用いて含有量の導出が行われる。図５（ａ）〜（ｃ）に示すグラフは、横軸に調理時間をとり、縦軸に含有量をとってその関係を示したものである。栄養分を導出する場合、導出の対象となる食材の調理時間から、グラフに示された関係に基づいて、対応する含有量を導出することができる。なおここでは縦軸を含有量として示しているが、縦軸を含有率とし、予め設定されている基準量に、グラフから求まる含有率を乗じて含有量を導出する様にしても良い。
【００２３】
食材データベース１２ｂに数式１、数式２、数式３等の情報として含有量を導出する方法が記録されていた場合、下記の式１に示す様な数式が用いられる。
【００２４】
ｙ＝ｆ（ｘ）  …式１
【００２５】
式１において、説明変数ｘは、調理時間を示し、目的変数ｙは、栄養分の含有量を示している。そしてｆは、例えば図５に示したグラフを数式化した適宜設定される関数である。数式１、数式２、数式３等の数式は、記録手段１２に予め記録されており、例えば食材データベース１２ｂに数式１として示されていた場合、記録手段１２に予め記録されている数式１に対応する数式を抽出し、抽出した数式を用いて含有量の導出が行われる。
【００２６】
食材データベース１２ｂに、表１、表２、表３等の情報として含有量を導出する方法が記録されていた場合、例えば５分間隔で含有量を示した表が用いられる。この様な表は、例えば図５に示したグラフ、式１に示した数式を離散値化した適宜設定される表である。表１、表２、表３等の表は、記録手段１２に予め記録されており、例えば食材データベース１２ｂに表１として示されていた場合、記録手段１２に予め記録されている表１に対応する表を抽出し、抽出した表を用いて含有量の導出が行われる。
【００２７】
次に本発明の導出装置１の処理について説明する。図６は、本発明の導出装置１の処理例を示すフローチャートである。栄養士は、本発明の導出装置１を操作して栄養分の導出の対象となる料理名称を示す料理情報を入力する。導出装置１は、記憶手段１３に記憶させた本発明のコンピュータプログラム１００を実行する制御手段１０の制御により、入力手段１４から料理情報の入力を受け付ける（ステップＳ１）。ステップＳ１による入力とは、料理情報の直接入力、予め提示した複数の料理情報からの選択等の様々な方法で入力することが可能である。なお料理に用いられる一の食材が複数存在する場合、例えば「冷凍」の「ジャガイモ」と、「生」の「ジャガイモ」とが存在する場合で、何れを用いても所望する料理を調理することができるとき、ステップＳ１の段階で、又は後述する食材を導出する段階で、使用する食材を選択する入力を行う。
【００２８】
導出装置１は、制御手段１０の制御により、受け付けた料理情報から、料理データベース１２ａの記録内容に基づいて、食材、使用量及び調理条件を導出する（ステップＳ２）。ステップＳ２において、例えば料理情報として「カレー」が入力された場合、導出装置１は、「カレー」に対応付けて記録されている「ジャガイモ」、「牛肉」、「カレー粉」等の食材、各食材の使用量、並びに各食材の調理条件、即ち調理方法及び調理時間を、料理データベース１２ａから読み取ることにより、食材、使用量及び調理条件を導出する。なおステップＳ２において、導出した食材、使用量及び調理条件を用いて自動的に以降の処理を実行するのではなく、導出された内容を出力し、適宜修正することが可能な様に構成しても良い。特に前述した様に使用することが可能な食材が複数存在する場合、使用可能な食材の中から適宜選択することで修正に係る入力を行う様にしても良い。
【００２９】
導出装置１は、制御手段１０の制御により、ステップＳ２にて導出した食材から、食材データベース１２ｂの記録内容に基づいて、食材の状態、産地、生産時期等の食材情報を導出する（ステップＳ３）。ステップＳ３において、導出装置１は、ステップＳ２にて導出した「ジャガイモ」等の食材に対応付けて記録されている「生」等の状態、「北海道」等の産地、「４月中旬」等の生産時期を、食材データベース１２ｂから読み取ることにより、状態、産地、生産時期等の食材情報を導出する。なおステップＳ３において、導出した食材情報を用いて自動的に以降の処理を実行するのではなく、導出された内容を出力し、適宜修正することが可能な様に構成しても良い。
【００３０】
導出装置１は、制御手段１０の制御により、ステップＳ３にて導出した調理方法、調理時間等の調理条件、及び状態、産地、生産時期等の食材情報から、栄養分データベース１２ｃの記録内容に基づいて、各食材の単位量当たりの栄養分毎の含有量を導出する（ステップＳ４）。ステップＳ４において、導出装置１は、ステップＳ３にて導出した調理条件及び食材情報に対応付けて記録されている単位量当たりの含有量を各栄養分について、栄養分データベース１２ｃから読み取ることにより、各食材の単位量当たりの栄養分毎の含有量を導出する。また対応付けて記録されている含有量が、「１００（ｋｃａｌ）」、「１．５（ｇ）」等の含有量そのものを示す値である場合、導出装置１は、その値を含有量として導出する。また対応付けて記録されている含有量が、グラフ１、数式２、表３等の含有量を導出する方法である場合、導出装置１は、調理条件である調理時間と含有量を導出する方法との関係から、調理時間に応じた含有量を導出する。なおステップＳ４において、導出した含有量を用いて自動的に以降の処理を実行するのではなく、導出された内容を出力し、適宜修正することが可能な様に構成しても良い。
【００３１】
導出装置１は、制御手段１０の制御により、ステップＳ２にて導出した各食材の使用量及びステップＳ４にて導出した各食材の単位量当たりの夫々の栄養分の含有量から、料理に使用される各食材に対する夫々の栄養分の含有量を算出する（ステップＳ５）。例えば料理「カレー」に対する食材「ジャガイモ」の栄養価（エネルギ）は、１人分分量が「２０（ｇ）」であり、単位量である１００ｇ当たりの栄養価の含有量が「７０（ｋｃａｌ）」であることから、下記の式２により算出される。
【００３２】
２０ｇ×７０ｋｃａｌ／１００ｇ＝１４ｋｃａｌ  …式２
【００３３】
また料理「カレー」に対する食材「ジャガイモ」の栄養素「ビタミンＡ」は、１人分分量が「２０（ｇ）」であり、単位量である１００ｇ当たりの栄養素の含有量が「５（μｇ）」であることから、下記の式３により算出される。
【００３４】
２０ｇ×５μｇ／１００ｇ＝１．０μｇ  …式３
【００３５】
そして導出装置１は、制御手段１０の制御により、ステップＳ５にて算出した料理に使用される各食材に対する栄養分毎の含有量を合計し（ステップＳ６）、各食材に対する栄養分毎の含有量及び料理に対する栄養分の含有量を、出力手段１５から出力する（ステップＳ７）。ステップＳ７の出力は、例えばモニタへの表示、プリンタからの印刷等の出力である。なお導出装置１に例えばＬＡＮを介して他の装置が接続されている場合、他の装置への送信を出力としても良い。
【００３６】
図７は、本発明の導出装置１から出力される栄養分の含有量を示す図表である。図７に示す様に各食材に対する栄養分毎の含有量及び料理に対する栄養分毎の含有量が一覧表として示されている。栄養士は、出力された図７に示す図表を参照して献立を立案することになる。
【００３７】
前記実施の形態では、無数にある本発明の実施の形態の一部を示したものであり、本発明はこれに限らず、様々な条件に応じて適宜栄養分毎の含有量を導出することが可能である。また前記実施の形態に示した様に、スタンドアローンとして起動する単独のコンピュータを導出装置として用いるのではなく、一又は複数のクライアントマシンからアクセス可能なサーバマシンにて本発明のコンピュータプログラムを実行し、導出装置として用い良い。
【図面の簡単な説明】
【００３８】
【図１】本発明の導出装置の構成例を示すブロック図である。
【図２】本発明の導出装置が備える料理データベースの記録内容の一例を概念的に示す説明図である。
【図３】本発明の導出装置が備える食材データベースの記録内容の一例を概念的に示す説明図である。
【図４】本発明の導出装置が備える栄養分データベースの記録内容の一例を概念的に示す説明図である。
【図５】本発明の導出装置が栄養分の含有量の導出に用いるグラフである。
【図６】本発明の導出装置の処理例を示すフローチャートである。
【図７】本発明の導出装置から出力される栄養分の含有量を示す図表である。
【符号の説明】
【００３９】
１  導出装置
１０  制御手段
１１  補助記憶手段
１２  記録手段
１２ａ  料理データベース
１２ｂ  食材データベース
１２ｃ  栄養分データベース
１３  記憶手段
１４  入力手段
１５  出力手段
１００  コンピュータプログラム
【図１】
0005167730.tif 000002
【図２】
0005167730.tif 000003
【図３】
0005167730.tif 000004
【図４】
0005167730.tif 000005
【図５】
0005167730.tif 000006
【図６】
0005167730.tif 000007
【図７】
0005167730.tif 000008